(57)【要約】【課題】  スキャナ、複写機等の画像読取装置の読取対象である原稿に付与された磁性タグのタグ情報を検出することにより、画像読取動作を適正に行わせるようにした画像読取装置を提供する。【解決手段】  原稿の表面に光を照射し、該原稿の表面からの反射光を光電変換素子で検出することにより該原稿の画像を読み取る画像読取装置において、画像読取装置が画像を読み取る原稿の少なくとも一部を臨む位置に配置され、原稿に付与された磁性タグのタグ情報を検知する磁性タグ検知手段と、磁性タグ検知手段の検知出力に基づき原稿を識別する原稿識別手段とを備える。【選択図】  図１
2005182170.tif 000002
【特許請求の範囲】
【請求項１】
原稿に光を照射し、該原稿からの反射光を光電変換素子で検出することにより該原稿の画像を読み取る画像読取装置において、
前記原稿の少なくとも一部を臨む位置に配置され、前記原稿に付与された磁性タグのタグ情報を検知する磁性タグ検知手段と、
該磁性タグ検知手段の検知出力に基づき前記原稿を識別する原稿識別手段と
を具備することを特徴とする画像読取装置。
【請求項２】
前記磁性タグ検知手段は、
原稿の画像の読取開始前に動作して前記原稿に付与された磁性タグのタグ情報を検知する
ことを特徴とする請求項１記載の画像読取装置。
【請求項３】
前記原稿識別手段の識別結果に基づき前記原稿の画像を読み取るか否かを判断する判断手段
を更に具備することを特徴とする請求項１または２記載の画像読取装置。
【請求項４】
前記磁性タグ検知手段は、
前記原稿に付与された磁性タグに磁界を与える送信コイルと、
前記送信コイルにより磁界が与えられた前記磁性タグから発生する信号を検出する受信コイルと
を具備し、
前記送信コイルおよび前記受信コイルは、
前記原稿を載置するプラテンを囲む本体筐体側面に配設される
ことを特徴とする請求項１記載の画像読取装置。
【請求項５】
前記送信コイルおよび前記受信コイルの内の少なくとも前記送信コイルは、
前記原稿の表面の画像の読取時には非動作に制御される
ことを特徴とする請求項４記載の画像読取装置。
【請求項６】
前記磁性タグ検知手段は、
前記原稿に付与された磁性タグに磁界を与える送信コイルと、
前記送信コイルにより磁界が与えられることにより前記磁性タグから発生する信号を検出する受信コイルと
を具備し、
前記送信コイルおよび前記受信コイルの内少なくとも前記受信コイルは、前記原稿を照射する照明手段と前記原稿の表面からの反射光を反射する反射鏡とを有し、前記原稿を載置するプラテンに沿って移動するキャリッジに配設される
ことを特徴とする請求項１記載の画像読取装置。
【請求項７】
前記受信コイルの検出出力に基づき前記原稿に対する磁性タグの付与位置を判別する手段
を更に有することを特徴とする請求項６記載の画像読取装置。
【請求項８】
前記磁性タグ検知手段は、
前記原稿に付与された磁性タグに磁界を与える送信コイルと、
前記送信コイルにより磁界が与えられることにより前記磁性タグから発生する信号を検出する受信コイルと
を具備し、
前記送信コイルおよび前記受信コイルは、
前記原稿を載置するプラテン上を開閉自在に覆うプラテンカバーに配設される
ことを特徴とする請求項１記載の画像読取装置。
【請求項９】
前記磁性タグ検知手段は、
前記プラテンカバーが前記プラテン上に閉じられた状態で前記原稿に付与された磁性タグのタグ情報を検知する
ことを特徴とする請求項８記載の画像読取装置。
【請求項１０】
前記磁性タグ検知手段は、
前記原稿に付与された磁性タグに磁界を与える送信コイルと、
前記送信コイルにより磁界が与えられることにより前記磁性タグから発生する信号を検出する受信コイルと
を具備し、
前記送信コイルおよび前記受信コイルは、
前記原稿を搬送する搬送路に配設される
ことを特徴とする請求項１記載の画像読取装置。
【請求項１１】
前記原稿の搬送位置に基づき前記原稿に対する磁性タグの付与位置を判別する手段
を更に有することを特徴とする請求項１０記載の画像読取装置。
【発明の詳細な説明】
【技術分野】
【０００１】
この発明は、スキャナ、複写機等の画像読取装置に関し、特に、読取対象である原稿に付与された磁性タグのタグ情報を検出することにより画像読取動作を適正に行わせるようにした画像読取装置に関する。
【背景技術】
【０００２】
近年、コンピュータや複合機およびネットワークの普及により、情報をネットワークを介して取得し、取得した情報を印刷及び複写することが容易に行なえるようになっている。
【０００３】
情報の中には、特定の者のみが知り得る情報や、機密保持を要するような情報等があり、これらの機密情報が不正に印刷もしくは複写されて機密情報が漏洩することを防止するための情報セキュリティーを強化した種々の装置や方法の提供が望まれている。
【０００４】
例えば、特許文献１に示されるように、印刷用紙に潜像等を形成し、形成した潜像の反射率や色相の差等により複写を抑制する方式の複写防止印刷物が提案されており、この提案の複写防止印刷物をモノクロ複写機もしくはカラー複写機で複写した場合には、複写を困難とするか、もしくは複写物であることが判別可能とするように構成した偽造防止印刷物に関する提案である。
【０００５】
また、特許文献２に示されるように、ユーザにＲＦＩＤ（＝Ｒａｄｉｏ  Ｆｒｅｑｕｅｎｃｙ  Ｉｄｅｎｔｉｆｉｃａｔｉｏｎ）を携帯させると共に、機密文書にもＲＦＩＤを付けて、これらＲＦＩＤから読み取った情報に応じて複写を禁止する装置等が提案されている。
【０００６】
これら特許文献１及び特許文献２の提案は、情報が不正に複写もしくは印刷出力されることを防止する装置および方法について提案されたものである。
【０００７】
また、印刷出力された情報を管理する装置および方法についての提案が、特許文献３に示されており、特許文献３によれば、印刷装置の出力トレイを複数設け、一つのトレイには一人のユーザの使用を割り当て、ユーザの指示により情報が印刷出力された印刷出力紙をユーザ別に割り当てた出力トレイに排紙し、ユーザが、出力指示した印刷出力紙を容易に区別し、取り出せるように構成した装置および方法が提案されている。
【特許文献１】特開平０７−０７６１９５号公報
【特許文献２】特開２００１−１６０１１７号公報
【特許文献３】特開平０２−１２００６８号公報
【発明の開示】
【発明が解決しようとする課題】
【０００８】
しかし、上記提案の特許文献１、特許文献２及び特許文献３には、情報漏洩防止、機密保持、あるいは文書管理を目的として、機密情報が印刷された、もしくは機密情報を印刷する用紙に磁性タグで形成付与された用紙固有の識別情報を検知して機密情報の漏洩防止や文書管理を行う等の方法や装置の提案はなされていない。
【０００９】
また、磁性タグで形成付与された用紙固有の識別情報を検知する磁性タグ検知装置の提案もなされていない。
【００１０】
そこで、この発明は、スキャナ、複写機等の画像読取装置の読取対象である原稿に付与された磁性タグのタグ情報を検出することにより、画像読取動作を適正に行わせるようにした画像読取装置を提供することを目的とする。
【課題を解決するための手段】
【００１１】
上記目的を達成するため、請求項１の発明は、原稿に光を照射し、該原稿からの反射光を光電変換素子で検出することにより該原稿の画像を読み取る画像読取装置において、前記原稿の少なくとも一部を臨む位置に配置され、前記原稿に付与された磁性タグのタグ情報を検知する磁性タグ検知手段と、該磁性タグ検知手段の検知出力に基づき前記原稿を識別する原稿識別手段とを具備することを特徴とする。
【００１２】
また、請求項２の発明は、請求項１の発明において、前記磁性タグ検知手段は、原稿の画像の読取開始前に動作して前記原稿に付与された磁性タグのタグ情報を検知することを特徴とする。
【００１３】
また、請求項３の発明は、請求項１または２の発明において、前記原稿識別手段の識別結果に基づき前記原稿の画像を読み取るか否かを判断する判断手段を更に具備することを特徴とする。
【００１４】
また、請求項４の発明は、請求項１の発明において、前記磁性タグ検知手段は、前記原稿に付与された磁性タグに磁界を与える送信コイルと、前記送信コイルにより磁界が与えられた前記磁性タグから発生する信号を検出する受信コイルとを具備し、前記送信コイルおよび前記受信コイルは、前記原稿を載置するプラテンを囲む本体筐体側面に配設されることを特徴とする。
【００１５】
また、請求項５の発明は、請求項４の発明において、前記送信コイルおよび前記受信コイルの内の少なくとも前記送信コイルは、前記原稿の表面の画像の読取時には非動作に制御されることを特徴とする。
【００１６】
また、請求項６の発明は、請求項１の発明において、前記磁性タグ検知手段は、前記原稿に付与された磁性タグに磁界を与える送信コイルと、前記送信コイルにより磁界が与えられることにより前記磁性タグから発生する信号を検出する受信コイルとを具備し、前記送信コイルおよび前記受信コイルの内少なくとも前記受信コイルは、前記原稿を照射する照明手段と前記原稿の表面からの反射光を反射する反射鏡とを有し、前記原稿を載置するプラテンに沿って移動するキャリッジに配設されることを特徴とする。
【００１７】
また、請求項７の発明は、請求項６の発明において、前記受信コイルの検出出力に基づき前記原稿に対する磁性タグの付与位置を判別する手段を更に有することを特徴とする。
【００１８】
また、請求項８の発明は、請求項１の発明において、前記磁性タグ検知手段は、前記原稿に付与された磁性タグに磁界を与える送信コイルと、前記送信コイルにより磁界が与えられることにより前記磁性タグから発生する信号を検出する受信コイルとを具備し、前記送信コイルおよび前記受信コイルは、前記原稿を載置するプラテン上を開閉自在に覆うプラテンカバーに配設されることを特徴とする。
【００１９】
また、請求項９の発明は、請求項８の発明において、前記磁性タグ検知手段は、前記プラテンカバーが前記プラテン上に閉じられた状態で前記原稿に付与された磁性タグのタグ情報を検知することを特徴とする。
【００２０】
また、請求項１０の発明は、請求項１の発明において、前記磁性タグ検知手段は、前記原稿に付与された磁性タグに磁界を与える送信コイルと、前記送信コイルにより磁界が与えられることにより前記磁性タグから発生する信号を検出する受信コイルとを具備し、前記送信コイルおよび前記受信コイルは、前記原稿を搬送する搬送路に配設されることを特徴とする。
【００２１】
また、請求項１１の発明は、請求項１０の発明において、前記原稿の搬送位置に基づき前記原稿に対する磁性タグの付与位置を判別する手段を更に有することを特徴とする。
【発明の効果】
【００２２】
この発明の画像読取装置によれば、原稿の表面に光を照射し、該原稿の表面からの反射光を光電変換素子で検出することにより該原稿の画像を読み取る画像読取装置において、前記原稿の少なくとも一部を臨む位置に配置され、前記原稿に付与された磁性タグのタグ情報を検知する磁性タグ検知手段と、該磁性タグ検知手段の検知出力に基づき前記原稿を識別する原稿識別手段とを具備するように構成したので、読取対象である原稿に付与された磁性タグのタグ情報を検出することにより画像読取動作を適正に行わせることができるという効果を奏する。
【発明を実施するための最良の形態】
【００２３】
この発明に係わる画像読取装置は、情報漏洩防止、機密保持、あるいは文書管理を目的として機密情報が印刷された、もしくは機密情報を印刷する用紙に磁性タグで形成付与された用紙固有の識別情報を検知する機能を備えた画像読取装置が、読取対象である原稿に付与された磁性タグのタグ情報を検出することにより画像読取動作を適正に行わせることが可能な画像読取装置として用いられる。
【００２４】
すなわち、この発明に係わる画像読取装置を備えた複写機や印刷装置等において、例えば機密情報が印刷された原稿を不正に複写しようとした場合には、原稿に形成された磁性タグの情報を、この発明に係わる画像読取装置が検知し、検知した磁性タグの情報に基づいて画像情報を読取る動作を行うか否かを判断することにより、機密情報が不正に複写されて漏洩することを防止することが可能となる。
【００２５】
用紙に形成付与された磁性タグは、用紙固有を識別可能とするように形状や大きさ等が異なる磁性素子で構成されており、この磁性タグを構成する磁性素子は、大バルクハウゼン効果、もしくは磁歪振動するような特性を有している。
【００２６】
この大バルクハウゼン効果、もしくは磁歪振動するような特性を有する磁性素子に対して所定の交番磁界を与えると、磁性素子からは特定の信号が発せられ、その信号を検出することができる。
【００２７】
この発明に係わる画像読取装置は、原稿に形成された磁性タグを構成する磁性素子に対して所定の交番磁界を与えることにより、磁性素子から発せられる信号を検出して磁性タグの情報を検知するように構成されている。
【００２８】
しかし、磁性タグの情報を検知するために与えられた交番磁界は、交番磁界の形成領域や磁界強度によっては、原稿の画像情報を読取る動作の誤動作等を誘発する可能性もあり、磁性タグの検知動作が画像読取動作に与える影響をより抑えた方法および装置の提供が望まれている。
【００２９】
そこで、この実施例では、磁性タグの検知動作による画像読取動作の誤動作を防止し、画像情報の読取対象である原稿に付与された磁性タグのタグ情報を検出することにより、画像読取動作を適正に行わせることが可能な画像読取装置をスキャナー装置を例として説明する。
【実施例１】
【００３０】
図１は、この発明に係わる画像読取装置の一つであるスキャナー装置の概略図である。
【００３１】
図１（ａ）は、この発明に係わるスキャナー装置１００を概略的に示したブロック図であり、図１（ｂ）は、図１（ａ）で示したスキャナー装置１００の最も特徴的な部分を示した斜視図である。
【００３２】
図１（ａ）に示すように、スキャナー装置１００は、スキャナー装置１００のプラテンガラス２上に置かれた原稿１の画像情報を読み取るための原稿１に対して光を投光する光源ランプ４と、プラテンガラス２上に置かた原稿１を押さえて光源ランプ４によって投光された光を効率よく反射させるためのプラテンカバー３と、光源ランプ４の光によって原稿１からの反射光１７を光電変換素子１０（ＣＣＤ＝Ｃｈａｒｇｅ  Ｃｕｏｐｌｅ  Ｄｅｖｉｃｅ）まで誘導する第一反射鏡６、第二反射鏡７、第三反射鏡８と、第三反射鏡８と光電変換素子１０との間に配置され、第三反射鏡８から反射された光を結象するための結象レンズ９と、受光した光を電気信号へ変換する光電変換素子１０と、光電変換素子１０から入力された電気信号から画像情報へ変換するビデオ回路１１と、原稿１に形成された図示せぬ磁性タグを送受信コイル１２、１３（図中の黒く塗りつぶした部分）を介して検知する磁性タグ検知回路１４を備えている。
【００３３】
光源ランプ４と第一反射鏡６は、原稿１の画像情報を走査可能なように所定方向（図中の矢印１８）に所定速度（図中の速度Ｖ）で移動可能なフルレートキャリッジ１５に一体化されて収納され、第二反射鏡７と第三反射鏡８は、フルレートキャリッジ１５の移動に伴い第一反射鏡６から反射された原稿１の反射光１７が第二反射鏡７、第三反射鏡８及び結象レンズ９を介して光電変換素子１０へ誘導可能なようにフルレートキャリッジ１５の移動方向と同一方向（図中の矢印１９）で、フルレートキャリッジ１５の移動速度（Ｖ）の略半分の速度（図中の速度１/２Ｖ）で移動可能なハーフレートキャリッジ１６に一体化されて収納されている。
【００３４】
また、図１（ｂ）に示すように、磁性タグ検知回路１４の送信コイル１２及び受信コイル１３の形状は、スキャナー装置１００の筐体内側の各側面に沿ってループを形成するように成形されている。
【００３５】
このように構成されたスキャナー装置１００の動作を簡単に説明すると、次のような動作となる。
【００３６】
例えば、ユーザが原稿１の画像情報を読取るために、原稿１をスキャナー装置１００のプラテンガラス２上に置くと、原稿１に形成された原稿１固有の識別情報に対応した磁性タグが送受信コイル１２、１３を介して磁性タグ検知回路１４によって検知される。
【００３７】
磁性タグ検知回路１４による磁性タグの検知は、例えば、プラテンガラス２上に置かれた原稿１に対して所定周波数の交番磁界を与えることにより、原稿１に形成された磁性タグを構成する磁性素子から発せられる信号を検出することで検知することができる。
【００３８】
例えば、磁性タグを構成する磁性素子が大バルクハウゼン効果の特性を有する磁性素子の場合は、磁性素子が送信コイル１２を介して送信された所定周波数の交番磁界を受けて磁化反転し、その際に急峻なパルス信号として検出されるような信号を発する。
【００３９】
また、磁性タグを構成する磁性素子が磁歪振動する特性を有する磁性素子の場合は、磁性素子が送信コイル１２を介して送信された所定周波数の交番磁界を受けて磁歪振動し、その際に交番磁界の磁界強度が変化するか、もしくは磁歪振動によって磁性素子から電磁波が発せられる。
【００４０】
このように磁性素子から発せられる信号を受信コイル１２を介して検出し、検出した信号に基づいて磁性タグ検知回路１４が原稿１に形成された磁性タグの情報を検知することで、検知した磁性タグの情報に基づいて原稿１の画像情報を読取る動作を行うか否かを判断する。
【００４１】
スキャナー装置１００は、磁性タグ検知回路１４が判断した結果に基づき、例えば磁性タグ検知回路１４が原稿１の画像情報を読取る動作を行うと判断した場合は、磁性タグ検知回路１４による磁性タグの検知動作を停止後、プラテンガラス２上に置かれた原稿１の画像情報を読取る動作を行う。
【００４２】
また、磁性タグ検知回路１４が原稿１の画像情報を読取る動作を禁止すると判断した場合は、例えば、「この原稿の画像読取りは禁止されています」等のメッセージを音声等で通知し、原稿１の画像情報の読取り動作を禁止する処理を行う。
【００４３】
なお、原稿１の画像情報を読取る動作を行うか否かの判断は、例えば、スキャナー装置１００の図示せぬ記憶装置に予め登録された画像情報読取り禁止の情報を示す読取禁止識別情報が記憶管理された参照テーブルを参照し、磁性タグ検知回路１４が検知した原稿１に形成された磁性タグの情報が読取禁止識別情報と一致するか否かによって判断される。
【００４４】
このように、原稿１の画像情報を読取る動作を行う前に、原稿１の画像情報を読取る動作を行うか否かを原稿１に形成された磁性タグの情報に基づいて判断するので、原稿１の画像情報が不正に読取られ、不正に複写や印刷されることを防止するとともに、不要な画像情報の読取り動作を行わないのでスキャナー装置１００の省電力化ともなる。
【００４５】
また、原稿１の画像情報を読取る動作を行う場合は、磁性タグ検知回路１４による所定周波数の交番磁界の送信が停止され、磁性タグの検知動作が行われないので、磁性タグ検知回路１４が送信する所定周波数の交番磁界によってスキャナー装置１００が画像情報を読取る際の誤動作や誤データの読取り等の不具合を防止することができる。
【００４６】
なお、磁性タグ検知回路１４による原稿１の画像情報を読取る動作を行うか否かの判断は、原稿１をプラテンガラス２上に置いた後にユーザがスキャナー装置１００に対して画像読取り指示した後、もしくは画像読取り指示する前のどちらでもよく、特に限定されるものではない。
【００４７】
図２乃至図４は、スキャナー装置１００の磁性タグ検知回路１４がプラテンガラス２上に置かれた原稿１に形成された磁性タグの情報を検知する方法を説明するための説明図である。
【００４８】
図２に示すように、プラテンガラス２（破線部分）上に置かれた原稿１には、情報漏洩防止、機密保持、あるいは文書管理を目的として原稿１を識別可能とする識別情報を表す磁性タグ２０が形成付与されている。
【００４９】
この磁性タグ２０は、例えば、少なくとも一つ以上の磁性素子で形成され、原稿１固有の識別情報に応じて少なくとも一つ以上の磁性素子を組合わせて形成し、原稿１に形成された磁性素子を検知することで、原稿１固有の識別情報を検知し認識するように構成されている。
【００５０】
図２に示すように、磁性タグ検知回路１４は、磁性タグ２０が形成された原稿１に対して送信コイル１２を介して所定周波数の交番磁界２０１を与え、所定周波数の交番磁界を受けた原稿１の磁性タグ２０が大バルクハウゼン効果により磁化反転時に発する急峻なパルス信号２０２を受信コイル１２を介して検出して検知するか、もしくは所定周波数の交番磁界を受けた磁性タグ２０が磁歪振動によって発する電磁波２０２を受信コイル１２を介して検出して検知することにより、原稿１に付与された磁性タグ２０の情報を認識可能ように構成されている。
【００５１】
図３は、原稿１に形成された磁性タグ２０が所定周波数の交番磁界が受けて磁化反転時に急峻なパルス信号を発するような、所謂、大バルクハウゼン効果特性を有する磁性タグ（以下、「大バルクハウゼン磁性タグ」という。）の特徴を示す図であり、図４は、原稿１に形成された磁性タグ２０が所定周波数の交番磁界が受けて磁歪振動し、磁歪振動によって電磁波を発するような、所謂、磁歪振動特性を有する磁性タグ（以下、「磁歪振動磁性タグ」という。）の特徴を示す図である。
【００５２】
図３及び図４を参照しながら、これら大バルクハウゼン磁性タグ及び磁歪振動磁性タグの特徴を簡単に説明する。
【００５３】
図３において、図３（ａ）は、大バルクハウゼン磁性タグを構成する長さの異なる複数の磁性素子Ｌ、２Ｌ、３Ｌ、４Ｌが形成された原稿３００の一例を示す図であり、図３（ｂ）は、図３（ａ）に示した磁性素子Ｌ、２Ｌ、３Ｌ、４Ｌが交番磁界を受けて磁化反転する際に検出される固有のパルス信号を示す図である。
【００５４】
なお、磁性ワイヤＬ、２Ｌ、３Ｌ、４Ｌの各数値２、３、４は、長さの異なる複数の磁性ワイヤを識別するために付したものであり、各磁性ワイヤＬ、２Ｌ、３Ｌ、４Ｌの長さは、Ｌ＜２Ｌ＜３Ｌ＜４Ｌの順に長いものとする。
【００５５】
各磁性素子Ｌ３１１、２Ｌ３１２、３Ｌ３１３、４Ｌ３１４は、例えば、Ｆｅ−Ｃｏ系アモルファス材の磁性素子であり、これらの各磁性素子を所定の交番磁界中に置くと、各磁性素子Ｌ３１１、２Ｌ３１２、３Ｌ３１３、４Ｌ３１４が有する固有の保磁力を超える磁界強度の交番磁界を受けて磁化反転し、その際に急峻なパルス信号として検出されるような信号を発する特性を有している。
【００５６】
各磁性素子Ｌ３１１、２Ｌ３１２、３Ｌ３１３、４Ｌ３１４が有する各磁性素子固有の保磁力は、各磁性素子の大きさ等によって異なり、例えば磁性素子Ｌ３１１の保磁力がＨ１、磁性素子２Ｌ３１２の保磁力がＨ２、磁性素子３Ｌ３１３の保磁力がＨ３、磁性素子４Ｌ３１４の保磁力がＨ４とすると、これらの各磁性素子が図３（ｂ）に示すような所定周波数の交番磁界３０１を受けることにより磁化反転し、パルス信号Ａ、Ｂ、Ｃ、Ｄのような信号を検出することができる。
【００５７】
例えば、交番磁界３０１の磁界強度がそれぞれＨ１、Ｈ２、Ｈ３、Ｈ４を超える時間ｔ１、ｔ２、ｔ３、ｔ４の時に、各磁性素子Ｌ３１１、２Ｌ３１２、３Ｌ３１３、４Ｌ３１４がそれぞれ磁化反転し、その際にパルス信号Ａ、Ｂ、Ｃ、Ｄが検出される。
【００５８】
パルス信号Ａは、磁性素子Ｌ３１１が磁化反転時に発するパルス信号、パルス信号Ｂは、磁性素子２Ｌ３１２が磁化反転時に発するパルス信号、パルス信号Ｃは、磁性素子３Ｌ３１３が磁化反転時に発するパルス信号、パルス信号Ｄは、磁性素子４Ｌ３１４が磁化反転時に発するパルス信号をそれぞれ示している。
【００５９】
このように、原稿３００に形成された大バルクハウゼン磁性タグ３２０に対して所定周波数の交番磁界を与えることにより、大バルクハウゼン磁性タグ３２０が磁化反転する際の急峻なパルス信号が検出され、この検出された検出信号に基づいて磁性タグの情報を検知することができる。
【００６０】
また、大バルクハウゼン磁性タグ３２０を構成する各磁性素子は、その大きさ等に応じて保磁力が異なるので、保磁力の異なる複数の磁性素子で形成された図３（ａ）に示したような原稿３００の磁性タグ３２０は、検出されたパルス信号のパターンに基づいて大バルクハウゼン磁性タグ３２０を構成する磁性素子の組合せが特定でき、特定された磁性素子の組合せに対応した大バルクハウゼン磁性タグ３２０が形成された原稿３００の特定も可能となる。
【００６１】
なお、図３の例では、複数の磁性素子を組合わせた大バルクハウゼン磁性タグが形成された原稿の例を示したが、一つの磁性素子で構成された大バルクハウゼン磁性タグが形成された原稿であってもよい。
【００６２】
図４において、図４（ａ）から（ｃ）は、磁歪振動特性を有する長さの異なる細い薄箔の形状に形成された磁歪素子１Ｍ４１１、２Ｍ４１２、３Ｍ４１３がそれぞれ漉き込まれて形成された原稿４０１、４０２、４０３を示す図であり、図４（ｄ）から（ｆ）は、各磁歪素子１Ｍ４１１、２Ｍ４１２、３Ｍ４１３がそれぞれ有する固有の残留磁歪振動の共振周波数特性を示す図である。
【００６３】
各磁歪素子１Ｍ４１１、２Ｍ４１２、３Ｍ４１３は、フェライトやアモルファス等の素子であり、このアモルファス等の磁歪素子は、外部から磁界を与えると寸法変化を起こすような、いわゆる磁歪する特性を有している。
【００６４】
なお、図４（ａ）から（ｃ）において、磁歪素子１Ｍ４１１、２Ｍ４１２、３Ｍ４１３の各数値１、２、３は、長さの異なる複数の磁歪素子を識別するために付したものであり、各磁歪素子１Ｍ４１１、２Ｍ４１２、３Ｍ４１３の長さはＭ＜２Ｍ＜３Ｍの順に長いものとする。
【００６５】
このような磁歪特性を有する磁歪素子で形成された磁歪振動磁性タグに対して所定周波数の交番磁界を与えると、磁歪素子が交番磁界の周波数に共振して磁歪振動する。
【００６６】
この磁歪素子が磁歪振動する周波数は、磁歪素子の大きさや形状等によってそれぞれ異なり、磁歪素子の大きさや形状等に応じた固有の磁歪振動する周波数（以下、「共振周波数」という。）を有する。
【００６７】
この磁歪素子の磁歪振動は、磁歪素子へ与える交番磁界を停止しても短時間の間は収束しながら持続される。
【００６８】
なお、ここでは、説明の便宜上、磁歪素子が磁歪素子固有の共振周波数近傍の交番磁界を受けて磁歪振動し、磁歪振動後、磁歪素子に与える交番磁界を停止しても短時間の間、磁歪素子の磁歪振動が持続されている振動のことを「残留振動」という。
【００６９】
また、逆に磁歪特性を有す磁歪素子に対して外部から力を加えて寸法変化させると、磁歪素子の磁化状態が変化し、磁歪素子の自己共振周波数近傍の周波数の交番磁界を磁歪素子に与えて磁歪振動させれば、磁歪振動している磁歪素子からは磁歪振動周波数に対応した電磁波が放出される。
【００７０】
図４（ａ）から（ｃ）に示すように、長さの異なる各磁歪素子１Ｍ４１１、２Ｍ４１２、３Ｍ４１３で形成された各磁歪振動磁性タグが付与された各原稿４０１、４０２、４０３に対して交番磁界の周波数を例えば低周波から高周波へ順次変化させながら交番磁界を一定時間与えた後、一定時間、各磁歪振動磁性タグ１Ｍ４１１、２Ｍ４１２、３Ｍ４１３の残留振動により発せられる電磁波を検出すると、図４（ｄ）から（ｆ）で示すような各磁歪振動磁性タグ１Ｍ３０１、２Ｍ３０２、３Ｍ３０３に対応した各磁歪振動磁性タグ固有の残留磁歪振動による共振周波数Ｅ、Ｆ、Ｇのパルス信号が検出される。
【００７１】
なお、パルス信号Ｅは、磁歪振動磁性タグ１Ｍ４１１の共振周波数を示すパルス信号であり、パルス信号Ｆは、磁歪振動磁性タグ２Ｍ４１２の共振周波数を示すパルス信号、パルス信号Ｇは、磁歪振動磁性タグ３Ｍ４１３の共振周波数を示すパルス信号である。
【００７２】
このように、磁歪振動特性を有する磁歪振動磁性タグに対して低周波から高周波へ、もしくは高周波から低周波へ順次変化する交番磁界を与え、磁歪振動磁性タグの磁歪振動によって発する電磁波を検出してパルス信号の共振周波数を特定することにより、磁歪振動磁性タグを検知することが可能である。
【００７３】
なお、図４の例では、一つの磁歪素子で一つの磁歪振動磁性タグが形成された原稿の例を示したが、複数の磁歪素子を組合わせた磁歪振動磁性タグが形成された原稿であってもよい。
【００７４】
そこで、図１で示したスキャナー装置１００の磁性タグ検知回路１４には、原稿１に形成された大バルクハウゼン磁性タグや磁歪振動磁性タグが検知可能なように、例えば図５及び図６で示すように構成されている。
【００７５】
図５及び図６は、図３で示した大バルクハウゼン磁性タグ及び図４で示した磁歪振動磁性タグで形成された原稿固有の識別情報を検知する磁性タグ検知回路の構成の一例を示すブロック図である。
【００７６】
図５は、原稿１に形成された大バルクハウゼン磁性タグを検出して原稿１固有の識別情報を検知する磁性タグ検知回路の一例を示したブロック図であり、図６は、原稿１に形成された磁歪振動磁性タグを検出して原稿１固有の識別情報を検知する磁性タグ検知回路の一例を示したブロック図である。
【００７７】
図５において、磁性タグ検知回路５００は、識別情報に対応した保磁力が異なる少なくとも一つ以上の磁性素子から構成された大バルクハウゼン磁性タグ５０２が形成された原稿５０１に対して所定周波数の交番磁界を送信し、送信した交番磁界によって大バルクハウゼン磁性タグ５０２を構成する磁性素子が磁化反転する際に検出されるパルス信号を検出することにより、原稿５０１に形成された大バルクハウゼン磁性タグ５０２の識別情報を検知するように構成されている。
【００７８】
図５に示すように、磁性タグ検知回路５００は、所定周波数の交番磁界を生成し、生成した所定周波数の交番磁界を送信コイル１２を介して送信する送信部５１０と、送信コイル１２から送信された交番磁界を受けて大バルクハウゼン磁性タグ５０２が磁化反転する際に検出されるパルス信号を受信コイル１３を介して受信する受信部５２０と、磁性タグ検知回路５００の全体を制御する磁性タグ検知制御部５３０から構成されている。
【００７９】
送信部５１０は、例えば、送信周波数制御回路５１１によって制御された電圧を電圧制御発振回路（例えば、ＶＣＯ＝Voltage Controlled Oscillator等）５１２に供与して波形信号を生成し、周波数変換回路５１３がタイミング制御回路５１５から入力された送信部５１０と受信部５２０とのタイミング制御を行うための制御信号と電圧制御発振回路５１２から入力された波形信号とを合成して送信回路５１４へ入力し、送信回路５１４が入力された合成信号を増幅して送信コイル１２を介して所定周波数の交番磁界を送信するように構成されている。
【００８０】
受信部５２０は、原稿５０１に形成された大バルクハウゼン磁性タグ５０２を構成する磁性素子が送信コイル１２を介して送信された所定周波数の交番磁界を受けて、磁化反転時に検出される急峻なパルス信号を受信コイル１３を介して検出し、大バルクハウゼン磁性タグ５０２の情報を検知する。
【００８１】
例えば、受信コイル１３によって受信されたパルス信号（以下、「受信信号」という。）は、バンドパスフィルター回路５２２へ入力されて濾波され、差動増幅回路５２４とノッチフィルター回路５２３へ入力される。
【００８２】
ノッチフィルター回路５２３は、バンドパスフィルター回路５２２で濾波された受信信号からパルス信号成分を除去して差動増幅回路５２４へ入力する。
【００８３】
なお、ノッチフィルター回路５２３は、バンドパスフィルター回路５２２で濾波された受信信号からパルス信号成分が除去可能なように周波数帯域が予め設定されている。
【００８４】
差動増幅回路５２４は、バンドパスフィルター回路５２２で濾波された受信信号と、ノッチフィルター回路５２３から入力されたパルス信号成分が除去された信号とを差動増幅して大バルクハウゼン磁性タグ５０２のパルス信号を信号検出回路５２５へ入力する。
【００８５】
増幅されて入力された大バルクハウゼン磁性タグ５０２のパルス信号は、信号検出回路５２５で信号処理されて磁性タグ検知制御部５３０へ入力され、磁性タグ検知制御部５３０が入力されたパルス信号に基づいて原稿５０１に形成された大バルクハウゼン磁性タグ５０２の識別情報を認識するとともに、認識した識別情報に基づいて画像情報の読取り動作を行うか否かを判断した判断信号をスキャナー装置１００の全体を統括制御する制御装置１４０へ出力する。
【００８６】
制御装置１４０は、磁性タグ検知回路５００から入力された判断信号に基づいて原稿５０１の画像情報の読み取り動作を行うか、もしくは、「この原稿の画像情報の読取りは禁止されています」等のメッセージを図示せぬ音声装置等で通知し、原稿５０１の画像情報の読取り動作を禁止する動作を行うかのいずれかの制御を行う。
【００８７】
なお、受信周波数制御回路５２６は、送信部５１０の送信周波数制御回路５１１が生成した電圧信号に対応してバンドパスフィルター回路５２２を送信周波数近傍に帯域制限する。
【００８８】
図６において、磁性タグ検知回路６００は、識別情報に対応した自己共振周波数の異なる複数の磁歪素子から成る磁歪振動磁性タグ６０２が形成された原稿６０１に対して低周波から高周波へ直線的に変化させた所定周波数の交番磁界を送信し、送信した交番磁界の各周波数に対する磁歪振動磁性タグ６０２の磁歪振動によって発生した電磁波を検知することにより、原稿６０１に付与された識別情報を検知するように構成されている。
【００８９】
図６に示すように、磁性タグ検知回路６００は、交番磁界を生成し送信する送信部６１０と、送信部６１０から送信された交番磁界を受けて磁性タグが磁歪振動によって発する電磁波を受信する受信部６２０と、磁性タグ検知回路６００の全体を制御する磁性タグ検知制御部６３０から構成されている。
【００９０】
送信部６１０は、原稿６０１に対して交番磁界を低周波から高周波へ連続して直線的に変化させながら送信し、送信した交番磁界を受信部６２０で受信する。
【００９１】
この交番磁界の周波数は、例えば図４で説明したような磁歪振動磁性タグ６０２を構成する各磁歪素子の自己共振周波数の低い周波数および高い高周波に基づいて、例えば、磁歪振動磁性タグ６０２が図４で示した磁歪素子１Ｍ４１１、２Ｍ４１２、３Ｍ４１３のいずれかの組合せで形成されているとすると、ｆ１を含むｆ１近傍の低周波からｆ４を含むｆ４近傍の高周波へもしくはｆ４近傍の高周波からｆ１近傍の低周波へ直線的に連続して変化する。
【００９２】
送信部６１０は、低周波から高周波へもしくは高周波から低周波へ連続して直線的に変化する交番磁界を生成するために、例えば、送信周波数制御回路６１１によって制御された電圧を電圧制御発振回路（例えば、ＶＣＯ＝Voltage Controlled Oscillator等）６１２に供与し、電圧制御発振回路６１２が送信周波数制御回路６１１によって制御された電圧に応じた波形信号を生成し、生成された波形信号を送信回路６１３が電力増幅して送信コイル１２を介して送信する。
【００９３】
受信部６２０は、原稿６０１固有の識別情報を表す磁歪振動磁性タグ６０２を構成する磁歪素子１Ｍ４１１、２Ｍ４１２、３Ｍ４１３のいずれかの磁歪振動によって発生する電磁波を受信コイル１３を介して受信する。
【００９４】
受信コイル１３によって受信された電磁波（以下、「受信信号」という。）は、例えばバンドパスフィルター回路６２２で濾波され、増幅回路６２３で増幅されて信号検出回路６２４へ入力される。
【００９５】
増幅されて入力された大バルクハウゼン磁性タグ６０２の受信信号は、信号検出回路５２５で信号処理されて磁性タグ検知制御部６３０へ入力され、磁性タグ検知制御部６３０が入力された受信信号に基づいて原稿６０１に形成された磁歪振動磁性タグ６０２の識別情報を認識するとともに、認識した識別情報に基づいて画像情報の読取り動作を行うか否かを判断した判断信号をスキャナー装置１００の全体を統括制御する制御装置１４０へ出力する。
【００９６】
制御装置１４０は、磁性タグ検知回路６００から入力された判断信号に基づいて原稿６０１の画像情報の読み取り動作を行うか、もしくは、「この原稿の画像情報の読取りは禁止されています」等のメッセージを図示せぬ音声装置等で通知し、原稿６０１の画像情報の読み取り動作を禁止する動作を行うかのいずれかの制御を行う。
【００９７】
なお、受信周波数制御回路６２５は、送信部６１０の送信周波数制御回路６１１が生成した電圧信号に対応してバンドパスフィルター回路６２２を送信周波数近傍に帯域制限する。
【００９８】
このように、原稿１に形成された大バルクハウゼン磁性タグまたは磁歪振動磁性タグに対応して図５または図６で示したような磁性タグ検知回路５００、磁性タグ検知回路６００を備えた磁性タグ検知回路１４の送受信コイル１２、１３をスキャナー装置１００の内側の各側面に沿ってループを形成するように成形することにより、原稿１の画像情報を読取る動作を行う前に、磁性タグ検知回路１４が原稿１に形成された磁性タグを検知して原稿１の画像情報を読取る動作を行うか否かを判断するので、原稿１の画像情報が不正に読取られ、不正に複写や印刷されることを防止するとともに、不要な画像情報の読取り動作を行わないのでスキャナー装置１００の省電力化ともなる。
【００９９】
また、原稿１の画像情報を読取る動作を行う場合は、磁性タグ検知回路１４による所定周波数の交番磁界の送信が停止され、磁性タグの検知動作が行われないので、磁性タグ検知回路１４が送信する所定周波数の交番磁界によってスキャナー装置１００が画像情報を読取る際の誤動作や誤データの読取り等の不具合を防止することができる。
【０１００】
なお、以上の説明においては、磁性タグ検知回路の送受信コイル１２、１３をスキャナー装置１００の内側の各側面に沿ってループを形成するように成形した例を示したが、例えば図７及び図８に示すようなスキャナー装置のような構成にしても、図１で示したスキャナー装置１００と同様な効果を得ることができる。
【０１０１】
例えば、図７（ａ）は、図１で示したスキャナー装置１００とは他の構成とした本発明に係わるスキャナー装置７００を概略的に示したブロック図であり、図７（ｂ）は、図７（ａ）で示したスキャナー装置７００の最も特徴的な部分を示した斜視図である。
【０１０２】
また、図８（ａ）は、図７で示したスキャナー装置７００とは他の構成とした本発明に係わるスキャナー装置８００を概略的に示したブロック図であり、図８（ｂ）は、図８（ａ）で示したスキャナー装置８００の最も特徴的な部分を示した斜視図である。
【０１０３】
スキャナー装置７００は、図７に示すように、磁性タグ検知回路１４の送受信コイル７１２、７１３をプラテンガラス２に印刷して配設したような構成としたものであり、スキャナー装置８００は、図８に示すように、磁性タグ検知回路１４の送受信コイル８１２、８１３をプラテンカバー３に配設したような構成としたものである。
【０１０４】
なお、スキャナー装置７００及びスキャナー装置８００は、各スキャナー装置７００、８００の送受信コイルを図１で示したスキャナー装置１００の送受信コイル１２、１３が配設された位置と異なるように配設した他は、スキャナー装置１００の構成と同様である。
【０１０５】
このように、スキャナー装置７００及びスキャナー装置８００に示されるような送受信コイルを配設した構成とすることにより、原稿１の画像情報を読取る動作を行う前に、磁性タグ検知回路１４が原稿１に形成された磁性タグを検知して原稿１の画像情報を読取る動作を行うか否かを判断するので、原稿１の画像情報が不正に読取られ、不正に複写や印刷されることを防止するとともに、不要な画像情報の読取り動作を行わないのでスキャナー装置７００及びスキャナー装置８００の省電力化ともなる。
【０１０６】
また、原稿１の画像情報を読取る動作を行う場合は、磁性タグ検知回路１４による所定周波数の交番磁界の送信が停止され、磁性タグの検知動作が行われないので、磁性タグ検知回路１４が送信する所定周波数の交番磁界によってスキャナー装置７００及びスキャナー装置８００が画像情報を読取る際の誤動作や誤データの読取り等の不具合を防止することができる。
【０１０７】
また、図８に示したようなスキャナー装置８００の構成とした場合は、プラテンカバー３が閉じられた状態の時のみ磁性タグ検知回路が動作可能なような構成としてもよい。
【０１０８】
更に、送信コイルと受信コイルのそれぞれの配設位置を図１、図７及び図８で示したような配設位置を組合わせて配置するような構成としてもよい。
【０１０９】
図９は、図１、図７及び図８で示したスキャナー装置１００、７００、８００とは他の本発明に係わる画像読取装置の一つであるスキャナー装置の概略図である。
【０１１０】
図９（ａ）は、この発明に係わるスキャナー装置９００を概略的に示したブロック図であり、図９（ｂ）は、図９（ａ）で示したスキャナー装置９００の最も特徴的な部分を示した斜視図である。
【０１１１】
スキャナー装置９００は、原稿９０１をスキャナー装置９００に取り込み、原稿９０１がスキャナー装置９００内を移動することにより原稿９０１の画像情報を読み取る、所謂、原稿移動型のスキャナー装置である。
【０１１２】
図９（ａ）、（ｂ）に示すように、スキャナー装置９００は、ユーザによって原稿９０１がスキャナー装置９００の原稿差込口９０２（破線で囲まれた部分）へセットされ、図示せぬ画像読取ボタンが押されて画像読取り動作の指示がなされると、原稿９０１を搬入ロール９０３及び搬出ロール９０４によってスキャナー装置９００内のイメージセンサー９０５の直下と磁性タグ検知回路９１４の送受信コイル９１２、９１３内を所定の方向（図中の矢印９２０）へ所定の速度で通過してスキャナー装置９００の外へ排紙するように原稿９０１を搬送する。
【０１１３】
イメージセンサー９０５は、イメージセンサー９０５直下を通過して移動する原稿９０１に対して光源ランプ９０６によって光を当てながら原稿９０１の画像情報を読み取り、磁性タグ検知回路９１４は、スキャナー装置９００の原稿排出口９０８（破線で囲まれた部分）近傍に配設された筒型状の送受信コイル９１２、９１３内を移動しながら通過する原稿９０１の磁性タグが発する信号を検知可能なように構成されている。  
また、搬出ロール９０４と送受信コイル９１２、９１３との間には、センサー９０７が配設されており、原稿９０１がセンサー９０７を配設した所定位置を通過したことが検出可能なように構成されている。  
なお、センサー９０７は、原稿９０１の通過が検出できるものであれば、赤外線センサーや機械式スイッチ等、特に限定されるものではない。
【０１１４】
原稿９０１には、原稿９０１を識別可能とする識別情報が磁性タグで形成されており、原稿９０１がスキャナー装置９００の原稿排出口９０８近傍に、原稿９０１の移動する方向（図中の矢印９２０）とは直交するように配設された筒型状の送受信コイル９１２、９１３内を移動することにより磁性タグ検知回路９１４が送受信コイル９１２、９１３を介して磁性タグが発する信号を検出し、磁性タグの識別情報を検知する。
【０１１５】
なお、原稿９０１に形成された磁性タグは、図３及び図４で説明したような大バルクハウゼン磁性タグ及び磁歪振動磁性タグで原稿９０１固有の識別情報に対応して形成されているものとする。
【０１１６】
このように、磁性タグ検知回路９１４の送受信コイル９１２、９１３を原稿排出口９０８近傍に筒型状に形成した原稿移動型のスキャナー装置であるスキャナー装置９００が原稿９０１の画像情報を読取る動作について簡単に説明すると次のような動作となる。
【０１１７】
例えば、ユーザによって原稿９０１がスキャナー装置９００の原稿差込口９０２へセットされ、図示せぬ画像読取ボタンが押されて画像読取り動作の指示がなされると、搬入ロール９０３が原稿９０１をスキャナー装置９００内に取り込み、イメージセンサー９０５の直下を所定方向へ所定速度で搬送する。
【０１１８】
イメージセンサー９０５は、直下を所定方向へ所定速度で移動している原稿９０１に対して光を投光し、原稿９０１の反射光に基づいて原稿９０１の画像情報を読み込む。
【０１１９】
原稿９０１は、搬送ロール９０４によって更に磁性タグ検知回路９１４の送受信コイル９１２、９１３が配設された方向へ搬送される。
【０１２０】
センサー９０７は、センサー９０７の直前を搬送された通過する原稿９０１を検出し、検出した原稿通過検出信号を磁性タグ検知回路９１４へ出力する。
【０１２１】
磁性タグ検知回路９１４は、入力された原稿通過検出信号と送受信コイル９１２、９１３を介して検出した原稿９０１に形成された磁性タグの検出信号に基づいて原稿９０１に形成された磁性タグの情報を検知し、原稿９０１の画像情報を読取る動作を行うか否かを判断する。
【０１２２】
スキャナー装置９００は、磁性タグ検知回路９１４が判断した結果に基づき、例えば磁性タグ検知回路９１４が原稿９０１の画像読取り動作を行うと判断した場合は、イメージセンサー９０５で読み込んだ原稿９０１の画像情報を図示せぬ記憶装置に記憶管理し、指示内容に応じて、例えば用紙へ画像情報を印刷したり、他の装置へ転送したり等の処理を行う。
【０１２３】
また、磁性タグ検知回路９１４が原稿９０１の画像情報の読取り動作を禁止すると判断した場合は、例えば、「この原稿の画像情報の読取りは禁止されています」等のメッセージを音声等で通知し、イメージセンサー９０５で読み込んだ原稿９０１の画像情報を削除する処理を行う。
【０１２４】
なお、図９においては、原稿移動型のスキャナー装置において、原稿排出口近傍に磁性タグ検知回路の筒型状に形成した送受信コイルを配設するような構成の例を示したが、送受信コイルを原稿差込口近傍に配設するような構成としてもよい。
【０１２５】
この場合は、原稿９０１の画像情報を読み取る動作を行う前に、磁性タグ検知回路９１４が原稿９０１に形成された磁性タグを検知して原稿９０１の画像情報の読取り動作を行うか否かを判断するので、不要な画像読取り動作を行うことなく読み込んだ画像を削除する処理も不要となる。
【０１２６】
ところで、スキャナー装置９００のように、原稿移動型のスキャナー装置においては、原稿排出口近傍に磁性タグ検知回路の筒型状に形成した送受信コイルを配設することにより、原稿に形成された磁性タグを図１、図７及び図８で示したスキャナー装置１００、７００、８００とは他の方法で検知することが可能となる。
【０１２７】
図１０は、原稿１００１、１００２、１００３に形成された図３で示したような大バルクハウゼン磁性タグを磁性タグ検知回路９１４が検知した各磁性タグの検出信号を示す図であり、図１１は、原稿１１０１、１１０２、１１０３に形成された図４で示したような磁歪振動磁性タグを磁性タグ検知回路９１４が検知した各磁性タグの検出信号を示す図である。
【０１２８】
図１０及び図１１を参照しながら、これら大バルクハウゼン磁性タグ及び磁歪振動磁性タグを磁性タグ検知回路９１４が検知する方法を簡単に説明する。
【０１２９】
図１０において、図１０（ａ）から（ｃ）は、前述の図３で示したような大バルクハウゼン効果特性を有する長さの異なる磁性素子１Ｌ、３Ｌ、４Ｌがそれぞれ漉き込まれて形成された原稿１００１、１００２、１００３を示す図であり、図１０（ｄ）から（ｆ）は、各原稿１００１、１００２、１００３に形成された磁性タグを磁性タグ検知回路９１４が検知した各磁性タグの検出信号を示す図である。
【０１３０】
なお、各磁性タグ固有の保磁力は、図３で説明したように、１Ｌ３１１がＨ１、３Ｌ３１３がＨ３、４Ｌ３１４がＨ４であるものとする。
【０１３１】
図１０（ａ）から（ｃ）に示すように、図１０（ａ）に示した原稿１００１には、３Ｌ３１３の大バルクハウゼン磁性タグ１０１１が原稿１００１の搬送方向（図中に矢印１０２０）に対して原稿１００１の先端近傍に形成されており、図１０（ｂ）に示した原稿１００２には、３Ｌ３１３の大バルクハウゼン磁性タグ１０１２が原稿１００２の搬送方向（図中に矢印１０２０）に対して原稿１００２の後端近傍に形成され、図１０（ｃ）に示した原稿１００３には、１Ｌ３１１と４Ｌ３１４で形成された磁性タグ１０１３が原稿１００３の搬送方向（図中に矢印１０２０）に対して原稿１００３の先端と後端との中間近傍に形成されている。
【０１３２】
図１０（ａ）から（ｃ）で示した原稿１００１、１００２、１００３に形成された磁性タグ１０１１、１０１２、１０１３が大バルクハウゼン磁性タグの場合は、磁気タグ検知回路９１４が所定周波数の交番磁界を各原稿１００１、１００２、１００３に対して送信し、各原稿に形成された磁性タグを構成する磁性素子が磁化反転する際に検出されるパルス信号を検知する。
【０１３３】
例えば、図１０（ａ）で示した原稿１００１の場合は、原稿１００１がイメージセンサー９０５の直下を通過後、搬送ロール９０４によって磁気タグ検知回路９１４の筒状の形成された送受信コイル９１２、９１３へ搬送される途上において、センサー９０７がセンサー９０７の直前を通過する原稿１００１を検出し、検出した原稿通過検出信号を磁気タグ検知回路９１４へ入力する。
【０１３４】
磁気タグ検知回路９１４は、入力された原稿通過検出信号に基づいて、磁性タグ１０１１の磁化反転時のパルス信号を検出した時間を計測するタイマーｔを初期値、例えば「０」に設定する。
【０１３５】
センサー９０７の配設地点から送受信コイル９１２、９１３によって磁性タグ１０１１を検知可能とする検知範囲までは、所定の距離があるので、所定速度で搬送される原稿１００１の磁性タグ１０１１が磁性タグ検知回路９１４の検知可能とする範囲に到達するまでには所定の時間が経過し、磁性タグ１０１１が磁性タグ検知回路９１４の検知範囲内に到達後、送信された交番磁界１０３０によって磁性タグ１０１１が磁化反転するまでに更に所定の時間が経過する。
【０１３６】
例えば、図１０（ｄ）は、センサー９０７が原稿１００１の通過を検出後、原稿１００１が磁性タグ検知回路９１４の検知可能な範囲に到達し、所定周波数の交番磁界１０３０を受けて磁化反転するまでの時間を示している。
【０１３７】
すなわち、原稿１００１がセンサー９０７が配設された位置を通過し、所定周波数の交番磁界１０３０を受け、交番磁界１０３０の磁界強度が磁性タグ１０１１固有の保磁力Ｈ３の磁界強度を超えた時に磁性タグ１０１１が磁化反転した際に発したパルス信号Ｈが時間ｔ５の時に検出されたことを示している。
【０１３８】
また、図１０（ｂ）で示した原稿１００２の場合は、原稿１００２がセンサー９０７が配設された位置を通過し、所定周波数の交番磁界１０３０を受け、交番磁界１０３０の磁界強度が磁性タグ１０１２固有の保磁力Ｈ３の磁界強度を超えた時に磁性タグ１０１２が磁化反転した際に発したパルス信号Ｉが時間ｔ８の時に検出されたことを示している。
【０１３９】
なお、原稿１００２の場合は、原稿１００１と比べて磁性タグ１０１２が、原稿１００２の搬送方向（図中に矢印１０２０）に対して原稿１００２の後端近傍に形成されているので、センサー９０７の配設地点から送受信コイル９１２、９１３が磁性タグ１０１２を検知可能とする検知範囲に到達するまでの時間が長くなる。
【０１４０】
同様に、図１０（ｃ）で示した原稿１００３の場合は、原稿１００３がセンサー９０７が配設された位置を通過し、所定周波数の交番磁界１０３０を受け、交番磁界１０３０の磁界強度が磁性タグ１０１３固有の保磁力Ｈ１（磁性素子Ｌ３１１）及びＨ４（磁性素子４Ｌ３１４）の磁界強度を超えた時に磁性タグ１０１３を構成する各磁性素子Ｌ３１１、４Ｌ３１４がそれぞれ磁化反転した際に発したパルス信号Ｊ（磁性素子Ｌ３１１）、パルス信号Ｋ（磁性素子４Ｌ３１４）が時間ｔ６（磁性素子Ｌ３１１）、ｔ８（磁性素子４Ｌ３１４）の時に検出されたことを示している。
【０１４１】
このように、原稿に形成された磁性タグの原稿上の位置と、磁性タグの保磁力Ｈとに対応して検出されるパルス信号の検出時間に基づいて原稿に形成された磁性タグの情報を検知することが可能となる。
【０１４２】
図１１において、図１１（ａ）から（ｃ）は、前述の図４で示したような磁歪振動特性を有する長さの異なる細い薄箔の形状に形成された磁歪素子２Ｍ４１２、３Ｍ４１３がそれぞれ漉き込まれて形成された原稿１１０１、１１０２、１１０３を示す図であり、図１１（ｄ）から（ｆ）は、各原稿１１０１、１１０２、１１０３に形成された磁性タグを磁性タグ検知回路９１４が検知した各磁性タグの検出信号を示す図である。
【０１４３】
なお、各磁性タグ固有の磁歪振動の共振周波数は、図４で説明したように、２Ｍ４１２がｆ２、３Ｍ４１３がｆ１であるものとする。
【０１４４】
図１１（ａ）から（ｃ）に示すように、図１１（ａ）に示した原稿１１０１には、２Ｍ４１２の磁歪振動磁性タグが原稿１１０１の搬送方向（図中に矢印１１２０）に対して原稿１１０１の先端近傍に形成されており、図１１（ｂ）に示した原稿１１０２には、２Ｍ４１２の磁歪振動磁性タグが原稿１１０２の搬送方向（図中に矢印１１２０）に対して原稿１１０２の後端近傍に形成され、図１１（ｃ）に示した原稿１１０３には、３Ｍ４１３の磁歪振動磁性タグが原稿１１０３の搬送方向（図中に矢印１１２０）に対して原稿１１０３の先端と後端との中間近傍に形成されている。
【０１４５】
図１１（ａ）から（ｃ）で示した原稿１１０１、１１０２、１１０３に形成された磁性タグ１１１１、１１１２、１１１３が磁歪振動磁性タグの場合は、磁気タグ検知回路９１４が交番磁界を低周波から高周波へ連続して直線的に変化させながら送信し、送信された交番磁界を磁歪振動磁性タグが受けて磁歪振動磁性タグの磁歪振動によって発する電磁波を受信する動作を繰り返すので、この交番磁界を低周波から高周波へ連続して変化させながら送信し、送信された交番磁界によって磁歪振動磁性タグ発する電磁波を受信するという繰り返し動作の回数をカウントとし、繰り返し動作の何回目の時に磁歪振動磁性タグの電磁波を検出したかを検知する。
【０１４６】
例えば、図１１（ａ）で示した原稿１１０１の場合は、原稿１１０１がイメージセンサー９０５の直下を通過後、搬送ロール９０４によって磁気タグ検知回路９１４の筒状の形成された送受信コイル９１２、９１３へ搬送される途上において、センサー９０７がセンサー９０７の直前を通過する原稿１１０１を検出し、検出した原稿通過検出信号を磁気タグ検知回路９１４へ入力する。
【０１４７】
磁気タグ検知回路９１４は、入力された原稿通過検出信号に基づいて、交番磁界を低周波から高周波へ連続して直線的に変化させながら送信し、交番磁界による磁歪振動磁性タグの磁歪振動によって発する電磁波の受信動作の回数をカウントするカウンターｎを初期値、例えば「１」に設定する。
【０１４８】
センサー９０７の配設地点から送受信コイル９１２、９１３によって磁性タグ１１１１を検知可能とする検知範囲までは、所定の距離があるので、所定速度で搬送される原稿１１０１の磁性タグ１１１１が磁性タグ検知回路９１４の検知可能とする範囲に到達するまでには所定の時間が経過し、この間に磁気タグ検知回路９１４が交番磁界を低周波から高周波へ連続して直線的に変化させながら送信し、交番磁界による磁歪振動磁性タグの磁歪振動によって発する電磁波を受信する動作が何回か繰り返されるのでカウンターｎの繰り返し回数がカウントアップされて記憶管理される。
【０１４９】
図１１（ｄ）は、図１１（ａ）に示した原稿１１０１の磁性タグ１１１１が、例えば５回目（ｎ＝５）の繰り返し動作の時に、残留磁歪振動の共振周波数がｆ２の磁歪振動磁性タグ１１１１を検出した検出信号Ｌを示している。
【０１５０】
図１１（ｂ）で示した原稿１１０２の場合は、原稿１１０２に形成された磁性タグ１１１２が、原稿１１０２の搬送方向（図中に矢印１１２０）に対して原稿１１０２の後端近傍に形成されているので、センサー９０７の配設地点から送受信コイル９１２、９１３が磁性タグ１１１２を検知可能とする検知範囲までは、図１１（ａ）に示した原稿１１０１の磁性タグ１１１１の場合よりも更に時間を要し、図１１（ｅ）に示すような、例えば１５回目（ｎ＝１５）の繰り返し動作の時に、残留磁歪振動の共振周波数がｆ２の磁性タグ１１１２の検出信号Ｍが検出される。
【０１５１】
また、図１１（ｃ）で示した原稿１１０３の場合は、原稿１１０３に形成された磁性タグ１１１３が、残留磁歪振動の共振周波数がｆ４の磁性タグ１Ｍ４１１で原稿１１０３の搬送方向（図中に矢印１１２０）に対して原稿１１０３の先端と後端との中間近傍に形成されているので、図１１（ｆ）に示すような、例えば１０回目（ｎ＝１５）の繰り返し動作の時に、残留磁歪振動の共振周波数がｆ４の磁性タグ１１１３の検出信号Ｎが検出される。
【０１５２】
このように、原稿に形成された磁性タグの原稿上の位置と残留磁歪振動の共振周波数ｆ及び繰り返し回数ｎとに対応して、原稿に形成された磁性タグの情報を検知することが可能となる。
【０１５３】
なお、図１１の例では、一つの磁歪素子で一つの磁歪振動磁性タグが形成された原稿の例を示したが、複数の磁歪素子を組合わせた磁歪振動磁性タグが形成された原稿であってもよい。
【０１５４】
図９で示した原稿移動型のスキャナー装置９００の説明においては、磁性タグ検知回路の送受信コイル１２、１３をスキャナー装置９００の原稿排出口近傍に筒型状で配設した構成の例を示したが、図１２のスキャナー装置１２００に示すように、イメージセンサー９０５が配設された部分に磁性タグ検知回路の送信コイル１２１２及び受信コイル１２１３をイメージセンサー９０５の各側面に沿ってループを形成するように成形して配設してもよく、図１３のスキャナー装置１３００に示すように、図１で示したスキャナー装置１００の機器内部の可動部分、例えばフルレートキャリッジ１５やハーフレートキャリッジ１６等に収納された第一反射鏡６、第二反射鏡７及び第三反射鏡８等に背面に送受信コイル１３１２、１３１３を配設するような構成としても原稿に形成された磁性タグの原稿上の位置と、磁性タグの保磁力Ｈ及び磁歪振動の共振周波数とに対応して検出されるパルス信号の検出時間や繰り返し回数ｎに基づいて原稿に形成された磁性タグの情報を検知することが可能となる。
【０１５５】
なお、図１３のスキャナー装置１３００の場合は、受信コイルの配設位置を図１、図７及び図８に示したスキャナー装置１００、７００、８００の受信コイル１３、７１３、８１３が配設された位置に配置してもよい。
【図面の簡単な説明】
【０１５６】
【図１】この発明に係わる画像読取装置の一つであるスキャナー装置の概略図。
【図２】原稿に形成された磁性タグの情報を検知する方法の説明図
【図３】大バルクハウゼン磁性タグの特徴を示す図
【図４】磁歪振動磁性タグの特徴を示す図
【図５】大バルクハウゼン磁性タグを検知する磁性タグ検知回路の一例の構成図
【図６】磁歪振動磁性タグを検知する磁性タグ検知回路の一例の構成図
【図７】図１で示したスキャナー装置１００とは他のスキャナー装置７００の概略図
【図８】図７で示したスキャナー装置７００とは他のスキャナー装置８００の概略図
【図９】図８で示したスキャナー装置８００とは他のスキャナー装置９００の概略図
【図１０】スキャナー装置９００が大バルクハウゼン磁性タグを検知する方法の説明図
【図１１】スキャナー装置９００が磁歪振動磁性タグを検知する方法の説明図
【図１２】図９で示したスキャナー装置９００とは他のスキャナー装置１２００の概略図
【図１３】図１２で示したスキャナー装置１２００とは他のスキャナー装置１３００の概略図
【符号の説明】
【０１５７】
１、３００、４０１、４０２、４０３  原稿
５０１、６０１、９０１、１００１、１１０１  原稿
２      プラテンガラス
３      プラテンカバー
４      光源ランプ
６      第一反射鏡
７      第二反射鏡
８      第三反射鏡
１０    光電変換素子
１１    ビデオ回路
１２、７１２、８１２、９１２、１２１２、１３１２  送信コイル
１３、７１３、８１３、９１３、１２１３、１３１３  受信コイル
１４、５００、６００、９１４  磁性タグ検知回路
１５    フルレートキャリッジ
１６    ハーフレートキャリッジ
２０    磁性タグ
１００、７００、８００、９００、１２００、１３００  スキャナー装置
１４０  制御装置
３１１、３１２、３１３、３１４  磁性素子
３２０  大バルクハウゼン磁性タグ
４１１、４１２、４１３  磁歪振動磁性タグ
５１０、６１０  送信部
５１１、６１１  送信周波数制御回路
５１２、６１２  電圧制御発信回路
５１３  周波数変換回路
５１４、６１３  送信回路
５２０、６２０  受信部
５２２、６２２  バンドパスフィルター回路
５２３  ノッチフィルター回路
５２４  差動増幅回路
６２４  増幅回路
５２５、６２４  信号検出回路
５２６  受信周波数制御回路
５３０、６３０  磁性タグ検知制御部
９０２  原稿差込口
９０３  搬入ロール
９０４  搬出ロール
９０５  イメージセンサー
９０７  センサー
９０８  原稿排出口
９１２  送信コイル
９１３  受信コイル
【図１】
2005182170.tif 000003
【図２】
2005182170.tif 000004
【図３】
2005182170.tif 000005
【図４】
2005182170.tif 000006
【図５】
2005182170.tif 000007
【図６】
2005182170.tif 000008
【図７】
2005182170.tif 000009
【図８】
2005182170.tif 000010
【図９】
2005182170.tif 000011
【図１０】
2005182170.tif 000012
【図１１】
2005182170.tif 000013
【図１２】
2005182170.tif 000014
【図１３】
2005182170.tif 000015